(57)【特許請求の範囲】
【請求項１】
針ハブ（２）を有する脊髄カニューレであって、前記針ハブ（２）は、前記針ハブの観察チャンバ（３）を流れる髄液の観察用の透明領域を有し、光線を屈折又は反射させる手段が、前記針ハブ（２）の前記透明領域の内部又は前記透明領域に設けられており、
前記光線を反射させる手段は、プリズム（４、４’）として形成され、
前記プリズム（４、４’）は、前記針ハブ（２）において前記観察チャンバ（３）の内周又は外周に形成され、
前記脊髄カニューレは、前記プリズム（４）上の周囲に少なくとも１つの凹部（８ａ）を有する保持機構としてのグリップ環（８）によって囲まれる、脊髄カニューレ。
【請求項２】
前記プリズム（４’）は、前記透明領域の外周に取り付けられる、請求項１に記載の脊髄カニューレ。
【請求項３】
複数列の外側プリズム（４０）が前記外周に沿って軸方向に互いにずれて形成され、各列の前記プリズムは、周方向に互いから離れている、請求項２に記載の脊髄カニューレ。
【請求項４】
視認方向（Ｘ）で見ると、前記外側プリズム（４’）は、前記光線を屈折させる手段として、前記針ハブ（２）の前記観察チャンバ（３）又は前記外周の少なくとも１つの湾曲領域と連係する、請求項２又は３に記載の脊髄カニューレ。
【請求項５】
前記プリズム（４）は、前記針ハブ（２）内の前記観察チャンバ（３）の内周に形成される、請求項１に記載の脊髄カニューレ。
【請求項６】
複数の内側プリズム（４）が、前記針ハブ（２）内の前記観察チャンバ（３）の前記内周に互いに隣接して形成される、請求項５に記載の脊髄カニューレ。
【請求項７】
少なくとも１つのプリズムが、前記針ハブ（２）内の前記観察チャンバ（３）の境界を定める、請求項１〜６のいずれか一項に記載の脊髄カニューレ。
【請求項８】
前記プリズム（４、４’）又は前記複数のプリズムは、前記脊髄カニューレに成形される、請求項１〜７のいずれか一項に記載の脊髄カニューレ。
【請求項９】
前記針ハブ（２）は、丸い中空円筒の横断面形状を有し、前記内側プリズム（４）は、前記プリズム（４）の基底面が前記針ハブ（２）の外周にベベルを形成するように、前記針ハブの前記横断面に組み入れられる、請求項５に記載の脊髄カニューレ。
【請求項１０】
４つの凹部（８ａ）が前記グリップ環（８）の前記周囲に設けられ、４つのプリズム（４）が前記針ハブの周囲に前記凹部（８ａ）に対向して形成される、請求項１に記載の脊髄カニューレ。
【発明の詳細な説明】
【技術分野】
【０００１】
本発明は、針ハブを有する脊髄カニューレに関し、針ハブは、該針ハブを流れる髄液（髄液（liquor）又は脳脊髄液（ＣＳＦ））の観察用の透明領域を有する。
【背景技術】
【０００２】
脊髄カニューレは脊髄腔を穿刺するのに使用されるが、その場合、くも膜下腔内での針先端の適正な位置決めを調整することができるように髄液の逆流を管理せねばならない。これによる困難は、無色透明な髄液を針ハブ内で容易に光学的に認識することができないことである。
【０００３】
特許文献１から、針ハブに透明領域を有する脊髄カニューレが知られており、この透明領域には髄液の逆流を認識することができるように拡大レンズが形成されている。
【０００４】
特許文献２から、透明グリップ部を有する脊髄カニューレが知られており、この透明グリップには針端に向かってテーパしている髄液管理チャンバが形成され、このチャンバは、平坦な壁領域が互いに対になって楔状に延びている実質的に矩形の横断面形状を有する。この実施形態では、髄液管理チャンバの内部での髄液の逆流が光の反射及び屈折の干渉なしに十分に認識可能であることが保証されるようになっている。
【先行技術文献】
【特許文献】
【０００５】
【特許文献１】米国特許第６，６５６，１６１号
【特許文献２】欧州特許第６８２９５４号
【発明の概要】
【発明が解決しようとする課題】
【０００６】
本発明は、上記のタイプの脊髄カニューレを、髄液の逆流をより良好に光学的に管理することができるように形成するという目的に基づいている。
【０００７】
光線を屈折又は反射させる手段、例えばダハプリズム又はトリプルプリズムが針ハブの透明領域、該領域の上又は該領域の内部に設けられる。髄液の逆流が生じておらず、空気のみが針ハブ内に存在しているのであれば、髄液が針ハブ内にある場合に髄液の逆流について示されるものとは異なる光学像が、光線を屈折又は反射させる手段によってユーザに示され、その場合、髄液により光線の屈折又は反射が変わることで、異なる最適な像が得られる。このようにして、髄液の逆流が生じているか否かを非常にはっきりと確定することができる。
【０００８】
光線を反射させる手段がプリズムとして形成される場合、脊髄カニューレの単純設計の代替形態が得られ、その場合、プリズムを針ハブ若しくは透明領域の外周又は針ハブ内の観察チャンバの内周に形成することができる。
【０００９】
認識を高めるため、外側プリズムは、視認方向で見ると、針ハブの中空キャビティ又は外周の、光線を屈折させる手段としての少なくとも１つの湾曲領域と連係することができる。
【００１０】
さらなる実施の形態によれば、複数列の外側プリズムを外周に沿って軸方向に互いにずらして形成することができ、その場合、各列のプリズムは周方向に互いから或る距離にある。このようにして、髄液が観察領域内にあると光線の屈折又は反射の変化が複数のプリズムの領域で得られる。
【００１１】
この作用は、複数の内側プリズムが針ハブ内の観察チャンバの内周に互いに隣接して形成される場合にも達成される。
【００１２】
別の実施の形態によれば、少なくとも１つのプリズム領域は、髄液が観察チャンバに達すると光学像の変化を得るように針ハブ内の中空キャビティ又は観察チャンバの境界を定めることができる。
【００１３】
有利には、プリズム又は複数のプリズムは脊髄カニューレに成形され、製造を費用効果的にすることができる。
【００１４】
光の屈折又は光の反射を改善するために、光線を反射させる手段は、針ハブの透明領域の外周に適用される反射領域として形成されることができ、その反射側面は中空キャビティに面する。
【００１５】
脊髄カニューレが、周囲に少なくとも１つの凹部を有するグリップ環によって囲まれるという点において脊髄カニューレの取り扱いが容易になり、グリップ環は光線を屈折又は反射させる手段上に配置される。
【００１６】
本発明による実施の形態は、別の中空体、特に、少なくとも１つの透明壁部を有する可撓性チューブに提供されることもでき、その場合、光線を屈折又は反射させる手段が、中空キャビティ又は可撓性チューブ内の流体の光学的認識用に透明壁部の領域に設けられる。こうして、光線を屈折又は反射させる手段を、脊髄カニューレに関して記載する形状で形成することができる。
【００１７】
本発明は上述した１つ又は複数の構成の組合せも含む。例えば、内側プリズム及び外側プリズムを観察領域に設けることができ、１つのプリズム又は複数のプリズムを反射層と共に用いることができる。記載された実施の形態を組み合わせることによって、髄液の認識を高めることができる。
【００１８】
本発明の例示的な実施形態を、図面を参照しながら以下でより詳細に説明する。
【図面の簡単な説明】
【００１９】
【図１】例えば円形の横断面の針ハブを有する脊髄カニューレを概略的に示す図である。
【図２】プリズムが内側領域にある脊髄カニューレを概略的に示す横断面図である。
【図３】プリズムが外側領域にある脊髄カニューレを概略的に示す横断面図である。
【図４】入射光線、反射光線及び出射光線と共にダハプリズムを示す図である。
【図５】入射光線、反射光線及び出射光線と共にトリプルプリズムを示す図である。
【図６】円周上に互いに隣接して配置されている複数のダハプリズムが内側領域にある脊髄カニューレを概略的に示す長手方向断面図である。
【図７】２つの対向するずれたトリプルプリズムが外側領域にある脊髄カニューレを概略的に示す長手方向断面図である。
【図８】複数のダハプリズムが内側領域にあり、穴のあいた視認窓（viewing window）付きグリップ領域がある脊髄カニューレを概略的に示す長手方向断面図である。
【図９】外側プリズムの代わりに反射層が外側領域にある脊髄カニューレを概略的に示す横断面図である。
【図１０】複数の外側プリズムの代わりに２つの対向するずれた反射層が外側領域にある脊髄カニューレを概略的に示す長手方向図である。
【発明を実施するための形態】
【００２０】
図１は、針ハブ２内に固定された針１を有する脊髄カニューレを概略的な長手方向断面で示す。針ハブ２は、屈折率ｎ３を有する少なくとも１つの透明領域又は１つの視認窓を有し、これを通じて、カテーテルハブ内の、屈折率ｎ２（空気）を有する中空キャビティ３を観察することができる。この中空キャビティ３は観察チャンバを形成する。光学的又は視覚的な観察が図中矢印Ｘの方向で行われる。中空キャビティ３への髄液の導入は針１を介して図中矢印Ｙの方向で行われる。
【００２１】
図２は一実施形態を示し、ここでは、屈折率ｎ１を有するプリズム４が、該プリズム４（本文以下、内側プリズムと呼ぶ）が２つの切妻型領域によって中空キャビティ３へ内方に延びるように視認窓の領域に取り付けられる。この実施形態では、針ハブ２は円形又は中空円筒の横断面形状を有し、その場合、内側プリズム４は、該プリズムの基底面が針ハブ２の外周にベベルを形成するように針ハブの横断面に組み入れられる。空気が針ハブ２の観察チャンバ３内に存在しているのであれば、矢印Ｘに沿ってプリズム４を介して視認することによって、はっきりと認識可能な金属光沢が内側プリズムの領域において知覚される。観察チャンバ３内の空気が髄液にとって代わられるとすぐにこの金属光沢は消え、領域が透明に見える。
【００２２】
図３に概略的に示す実施形態では、屈折率ｎ１を有するプリズム４’が、２つの切妻型領域が外方に面すると共にこのプリズム（以下、外側プリズムと呼ぶ）の基底面が中空キャビティ３の内周にベベルを形成するように配置される。このようにして、異なる像が得られ、この像は矢印Ｘに沿って視認窓を通じて観察され、この視認窓は径方向にプリズム４’に対向して形成されている。空気が観察チャンバ３内に存在しているのであれば、金属光沢を有するほとんど知覚不可能な小さなパッチ（patch）が、プリズム４’の領域において認識可能である。この光沢のある反射は、髄液が観察チャンバ３内で空気にとって代わるときにのみ、より大きくなってはっきりと生じる。
【００２３】
図４は、内側プリズム４又は外側プリズム４’として用いることができる直角等辺プリズム（以下、ダハプリズムと呼ぶ）を示す。このプリズムの屈折率ｎ１は例えば１．４２〜１．６２の間とすることができ、プリズムが空気で囲まれている場合、プリズムを囲んでいるものの屈折率ｎ２は約１とすることができる。これらの状況下では、入射光線５は、４５度の角度γでプリズム領域６及び６’に入ると、このプリズム領域６及び６’で全反射を受ける。したがって、出射光線５’は入射光線５に対して１８０度反射又は回転する。これらの状況下では、入射光線の方向で見る観察者は光反射を知覚する。γ＝４５度での全反射の条件は、約１の屈折率ｎ２が１．３２よりも大きくなるまで変化すると無効となる。これは髄液がプリズム領域にある場合にあてはまる。これらの状況下では、入射光線５の方向で見る観察者は、いかなる光反射も知覚することができない。
【００２４】
図５は、内側プリズム４又は外側プリズム４’として用いることができるトリプルプリズムを示す。ここでもまた、図４のダハプリズムの場合と同じ条件が適用されるが、相違点は、３つの領域６、６’及び６’’でトリプルプリズムを囲んでいるものの屈折率ｎ２に応じて、全反射が３つの位置で起こる又は起こらないことである。
【００２５】
図６は、屈折率ｎ３を有する透明プラスチックの針ハブ２を有する脊髄カニューレの概略的な長手方向断面を示し、ここでは、接着材で満たされたクリアランス７により針１が針ハブに固定され、また、それぞれが平坦先端を有する前面領域のある複数のダハプリズムによって形成される複数の内側プリズム４が視認窓の領域の内周に円形対称に配置される。これらのダハプリズム４は、屈折率ｎ１を有する、針ハブ２と同じプラスチック材料から成る（ｎ１＝ｎ３）。この構成により、脊髄カニューレの長手方向軸に対して垂直な視認方向の全側面から髄液の逆流の認識が可能となる。
【００２６】
図７は、屈折率ｎ３を有する透明プラスチックの針ハブ２を有する脊髄カニューレの概略的な長手方向断面を示し、ここでは、接着材で満たされたクリアランス７により針１が針ハブに固定され、また、外側プリズムが、互いにずれた２つの列４０のトリプルプリズム（図５）から構成され、互いの後ろに、図面の平面に対して垂直に配置される。これらのトリプルプリズムは、屈折率ｎ１を有する、針ハブ２と同じプラスチック材料から成る（ｎ１＝ｎ３）。トリプルプリズムの代わりに、ダハプリズム（図４）をこの構成で用いることもできる。一列の個々のプリズムは好ましくは、互いから、矢印Ｘに沿って視認すると同列又は他方の列の反対側に配置されるプリズムをそのスペース又は間隙を通じて見ることができるような距離にある。
【００２７】
図８は、図６と同様の脊髄カニューレの概略的な長手方向断面を示し、ここでは、針ハブ２にはさらに、脊髄カニューレの表面感触を高める保持機構８が設けられている。この保持機構は針ハブ２の周りに円錐形のグリップ環８として形成され、幅の狭い方の端部９で針ハブとつながっている。グリップ環８は針ハブ２の視認窓の領域に凹部８ａを有し、そのため、矢印Ｘの方向で、凹部８ａに対向して位置する内側プリズム４によって髄液の逆流を確定することができる。凹部８ａはプリズムと共に、その下側の視認窓に観察者の目を向ける。例えば４つの凹部８ａがグリップ環８の周囲に設けられる場合、針ハブの内周に４つのプリズム４が凹部８ａに対向して形成される。かかるグリップ環８は脊髄カニューレに成形されるか又は別個の要素として取り付けられることができ、例えば接合によって固定される。
【００２８】
図９は、本発明による別の実施形態を示し、ここでは、外側プリズムの代わりに、例えば銀又はアルミニウムの反射層１０が適用される。かかる反射層１０の代わりに、光学反射格子を設けることもできる。
【００２９】
図１０は、針ハブの長手方向断面を示し、ここでは、図７に対応して、２つの列の反射層１０がこれらの領域間に対応する距離をおいて軸方向にずれて外周に適用される。
【００３０】
観察方向Ｘでの視認窓内の金属光沢の変化により、図２及び図３並びに図６、図７及び図８による実施形態の全てに関して、他の場合では針ハブ２の中空キャビティ３内でほとんど認識不可能な透明な髄液の存在をはっきりと確定することができる。この光学作用は、空気が中空キャビティ３内にある場合の約１の屈折率から髄液が中空キャビティ３内にある場合の１．３２〜１．３５の屈折率への変化によって達成される。
【００３１】
内側プリズム４がダハプリズム又はトリプルプリズムの形状である場合、空気が中空キャビティ３内に存在すると、はっきりとした金属光沢が内側プリズム４の領域において知覚される。これはプリズムを囲んでいるものが空気である場合の図４及び図５におけるような全反射作用によって達成される。全反射が生じる入射角γはγ＝逆サイン（ｎ２／ｎ１）によって求められ、式中、ｎ２は中空キャビティ３内でプリズムを囲んでいるもの（水又は髄液）の屈折率であり、ｎ１はプリズム４、４’の屈折率である。より大きな角度γで図４又は図５のプリズムの側面領域に入る光線は全て、全反射作用を受けてプリズムの側面領域６で反射する。全反射はダハプリズムの場合では２回、トリプルプリズムの場合では３回生じるため、好ましくは約４５度の接触角γが選択されるが、その理由は、このようにしてのみ全反射によってプリズム４、４’を介して光線の反転又は反射が生じるからである。
【００３２】
プリズムが一般的な透明プラスチックから作製される場合、屈折率は１．４２〜１．６である。空気の屈折率は約１であり、髄液の屈折率は１．３２〜１．３５である。空気が中空キャビティ３内にある場合、４４．７度〜３８．１度の角度γが得られ、この角度γは好ましくは全反射に関して考えられ得る最大の面積が可能となるように小さく選択されるものとする。約１．５９の屈折率を有する、これらの条件を満たす透明プラスチックはポリカーボネート（ＰＣ）であるが、ＰＭＭＡ、ＣＭＭＡ、ＣＯＣ、ＳＡＮ、ＰＳ及びＡＢＳ等の他の透明ポリマーも適している。プリズムがＰＣから作製される場合、空気についてはγ＞３８．９度が適用され、髄液についてはγ＞５６．１度〜５８．１度が適用される。ダハプリズム及びトリプルプリズムにおける光線の反転又は反射は４５度の角度でのみ生じるため、この条件は空気が中空キャビティ３内にある場合に満たされ、髄液が中空キャビティ３内にある場合には満たされない。観察者が図２、図６及び図８による矢印Ｘの方向で入射光線に対して好ましくはほぼ平行にプリズム４を見る場合、空気が中空キャビティ内にある場合では、光線の反射によって金属光沢が示され、髄液が中空キャビティ３内にある場合では、この反射は生じず、領域が透明に見える。
【００３３】
トリプルプリズムの形状の外側プリズム４’では、空気が中空キャビティ３内に存在すると、金属光沢を有するほとんど知覚不可能な小さなパッチが外側プリズムの領域において知覚される。これは、図３に示すように、トリプルプリズムの側面領域６、６’及び６’’での全反射によって達成され、針ハブ又は視認窓及び中空キャビティの透明部を通じて矢印Ｘの方向で外側プリズム４を見る観察者によって知覚される。光線が針ハブ２の湾曲面で矢印Ｘに沿って屈折するため、パッチは非常に小さく、ほとんど知覚不可能である。これは空気が針ハブ２に入り込む際に生じ、その後、さらに針ハブ２から中空キャビティ３に入り込む際に生じる。したがって、外側プリズムに入る光及び外側プリズムによって反射される光が空気／針ハブの境界及び針ハブ／空気の境界で屈折する。この繰り返される強い屈折により、金属光沢を有する小さなパッチしか見えない。屈折作用はスネルの法則によって説明され、針ハブ／空気の境界での屈折に関してｓｉｎ（β）＝ｓｉｎ（ａ）ｎ１／ｎ２が適用され、式中、ｎ１は針ハブの屈折率であり、ｎ２は中空キャビティ３の媒質の屈折率である。角度ａは針ハブ２／中空キャビティ３の境界の入射角であり、角度βは出射角である。空気が約１のｎ２で中空キャビティ３内に存在する場合、出射角βは、１．３２〜１．３６の屈折率を有する髄液が中空キャビティ３内にある場合よりも大きい。空気が中空キャビティ３内にある場合、髄液が中空キャビティ３内にある場合よりも強い屈折が針ハブ２／中空キャビティ３の境界で生じる。光線の屈折が中空キャビティ３内の髄液の存在によって減少する場合、金属光沢を有するパッチ（空気が中空キャビティ３内にある場合ではほとんど知覚不可能である）が、今度はずっと大きくはっきりと見える。この作用は有利には、空気／針ハブ２の境界の湾曲が非常にわずかであり、針ハブ２／中空キャビティ３の境界の湾曲が非常に大きく、また、針ハブの屈折率ｎ１が髄液の屈折率に非常に近い場合に、意図され得る。有利には、図７に示す外側プリズムは針ハブと同じプラスチック材料から作製される。かかる構成は、さらなる処理工程なしにプラスチック射出成形等の製造プロセスで製造することができる。
【００３４】
トリプルプリズム又はダハプリズムの形状の外側プリズム４’’の代わりに、反射層１０を適用することもできる。従来のミラーの場合のように、かかる層はアルミニウムの薄層、銀の薄層、高屈折及び低屈折を有する一連の層等から構成することができる。この薄層は、その領域が、記載されたトリプルプリズム及びダハプリズムの基底面の領域に対応するものとする。反射層の機能は外側プリズムの場合と同じである。入射光線は２つのデバイスによって反射される。ここで、使用状況に関して、プリズムでは光線の反射は入射光線に対して相殺を受けるが反射層の場合は受けないことは、髄液の認識に決定的に重要なことではない。光線の屈折及びその反射に関して、空気又は髄液が中空キャビティ３内にある場合、反射層に対し、外側プリズムに対するのと同じ光学作用が適用される。反射層又は外側プリズムの代わりに、反射特性を有する反射格子を使用することもできる。
【００３５】
図６及び図８は、内側プリズムを有するさらに有利な実施形態を示す。ここでは、針ハブ２の内側領域における複数のプリズムの列方向配置によって、脊髄カニューレに対して垂直な全側面から髄液の逆流の観察が達成される。図８は特定の有利な実施形態を示し、ここでは、窓として機能する、グリップ環８の凹部８ａを通じてユーザの目が向けられ、視認窓の領域の空気／針ハブ２の境界の湾曲が、例えば断面が多角形の領域によって非常にわずかに維持される。
【００３６】
図７は、外側プリズムを有するさらに有利な実施形態を示す。トリプルプリズム又はダハプリズムが透明な針ハブ２の外周に互いに隣接して配置される２つの列で配置される。一列の個々のプリズムは好ましくは、互いから、矢印Ｘに沿って視認すると同列又は他方の列の反対側に配置されるプリズムをそのスペース又は間隙を通じて見ることができるような距離にある。図６及び図８と同様にして、この構成により、脊髄カニューレの長手方向軸に対して垂直な全側面から髄液の逆流の認識が可能となる。
【００３７】
図２及び図３において、各場合の針ハブの横断面では、プリズムは、該プリズムの基底面が針ハブの内周又は外周にベベルを形成するように挿入されている。しかしながら、内側プリズム４に関して、針ハブ２の外周が完全な円を形成するように針ハブにプリズムを成形することも可能であり、そのため、プリズムの基底面（図２ではその外周にベベルを形成している）は湾曲形状を有する。同様にして、図３による外側プリズムに関して、中空キャビティ３の内周は円形とすることができ、そのため、プリズムの側面領域のみが、該領域がなければ円形の断面である針ハブ２から、外方へ突出する。
【００３８】
図示の、針ハブ２内の観察チャンバ３の円形の横断面の代わりに、特に光屈折手段のタイプが異なって形成される場合に、別の横断面形状を設けることもできる。
【００３９】
針ハブ２は観察チャンバ３の領域に円形、楕円、多角形又は矩形の横断面を有することができる。
【００４０】
外側プリズム４’を使用する場合、視認方向Ｘ（図３）では針ハブ２の中空キャビティ３及び／又は外周の湾曲領域はこの外側プリズムに対向して位置し、この場合、湾曲領域は光を屈折させる手段を形成する。内側プリズム４（図２）を使用する場合、内側プリズムの切妻型領域に対向する中空キャビティ３の境界画定領域を種々の方法で設計することができ、図２ａに示すように、例えば中空キャビティ３は矩形又は正方形の横断面を有することもできる。
【００４１】
図２ａは、外周が正方形及び内周が多角形に形成されている、中空キャビティ又は観察チャンバ３の考えられ得る横断面の場合の内側プリズム４の一実施形態を示す。
【００４２】
図２ｂは、内側プリズム４を有する可撓性チューブ状の観察チャンバ３の横断面の一実施形態を示す。
図３ａは、１つの外側プリズム４’を有する考えられ得る実施形態を示し、ここでは、外周が多角形又は矩形に設計され、中空キャビティ又は観察チャンバ３の内周は円形であるように設計され、そのため、外側プリズム４’の視認方向Ｘでは、このプリズムが少なくとも１つの湾曲領域と連係する。
図３ｂは、さらなる実施形態として１つの外側プリズム４’を有する可撓性チューブの横断面を示す。
【００４３】
図２及び図３による実施形態では、プリズムは針ハブ２の軸方向に延びる。しかしながら、１つのプリズム又は互いに隣接する複数のプリズムを、針ハブの軸に対して横方向又は斜めに配置することも可能である。
【００４４】
記載の実施形態に関して、光を屈折又は反射させる手段は好ましくは針ハブ２に成形される。しかしながら、特に図３による実施形態に関して、例えば接合によって、プリズム４’を別個の部材として針ハブ２に取り付けることも可能である。
【００４５】
針ハブ２全体は好ましくは透明プラスチック材料から成る。
【００４６】
反射層１０を針ハブ２の凸状に湾曲した外周に適用することもでき、その場合、その反射側面は中空キャビティ又は観察チャンバに面する。
【００４７】
記載した内側プリズム及び外側プリズムの構成により、脊髄カニューレのハブ内での髄液の逆流を確定することができるだけでなく、概して、中空キャビティ３内の、例えば、種々のタイプの吸引シリンジ又は可撓性チューブ内の透明な流体の存在又は不存在を確定することもできる。可撓性チューブの場合に考えられ得る用途は、例えば、ＩＶ送達システム内での同様な流体認識又はその中の気泡の認識である。
【００４８】
図６ａは、複数の内側プリズム４が内周に配置されている、図６の観察チャンバの横断面を示す。
【００４９】
図７ａは、外側プリズム４０の列に沿った、図７の針ハブの横断面を示す。隣接する列の複数のプリズムの外側プリズム４０は好ましくは、図７ａで見た場合に外側プリズム４０が図７ａに示す複数のプリズムのそれらの間に配置されるように周方向にずれている。
【図１】
0005579163.tif 000002
【図２】
0005579163.tif 000003
【図３】
0005579163.tif 000004
【図４】
0005579163.tif 000005
【図５】
0005579163.tif 000006
【図６】
0005579163.tif 000007
【図７】
0005579163.tif 000008
【図８】
0005579163.tif 000009
【図９】
0005579163.tif 000010
【図１０】
0005579163.tif 000011